(57)【要約】【課題】  虫を誘引するための光を減衰させることなく有効利用するとともに、広範囲に渡って虫を誘引・捕獲することができるようにする。【解決手段】  本発明の捕虫器１は、任意に設定された軸７を中心とする略全周の表面に粘着層２１ａが形成された粘着部材５と、該軸７の周方向へ略等間隔をおいて、該粘着部材５の周囲に列設された複数の光源３とを備え、虫を、光源３からの光により誘引するとともに粘着部材５により捕獲するように構成している。光源３としては、波長が３８０ｎｍ以下の光を発する発光ダイオードを用いている。粘着部材５は、軸７を中心とする略筒状に形成されてなっている。【選択図】      図２
2010279254.tif 000002
【特許請求の範囲】
【請求項１】
任意に設定された軸を中心とする略全周の表面に粘着層が形成された粘着部材と、該軸の周方向へ略等間隔をおいて、該粘着部材の周囲に列設された複数の光源とを備え、
虫を、前記光源からの光により誘引するとともに前記粘着部材により捕獲するように構成した捕虫器。
【請求項２】
前記光源は、波長が３８０ｎｍ以下の光を発するものである請求項１記載の捕虫器。
【請求項３】
前記粘着部材は、前記軸を中心とする略筒状に形成されてなる請求項１又は２記載の捕虫器。
【請求項４】
前記粘着部材及び前記光源の上部又は／及び下部には、前記光源からの光を拡散させるための反射部が設けられた請求項１〜３のいずれか一項に記載の捕虫器。
【請求項５】
前記粘着部材の近傍に、虫を誘引する誘引剤の格納部が設けられた請求項１〜４のいずれか一項に記載の捕虫器。
【請求項６】
前記誘引剤の成分を前記格納部の外部に対して放出するための放出口は、虫の侵入を防止するための網で覆われた請求項５記載の捕虫器。
【発明の詳細な説明】
【技術分野】
【０００１】
本発明は、虫を、光で誘引することにより捕獲する捕虫器に関するものである。
【背景技術】
【０００２】
虫を、光で誘引するように構成された捕虫器に関する第一の背景技術として、まず、特許文献１記載の捕虫器を例示する。この捕虫器は、図６に示すように、紫外線発光源１０１を内部に設けた枠体１０２と、この枠体１０２の外面を被覆する捕虫フィルム１０３とからなっている。捕虫フィルム１０３は、透明で紫外線発光源１０１からの波長が通過する基材１０４と、この基材１０４の前記紫外線発光源側に設け且つ前記紫外線発光源１０１からの紫外線により蛍光発色する蛍光体層１０５と、前記基材１０４の外側に設け、且つ蛍光が通過する粘着層１０６とから形成し、この粘着層１０６で捕虫するようになっている。
【０００３】
また、第二の背景技術として、特許文献２記載の超音波照射型捕虫装置を例示する。この捕虫装置は、図７に示すように、前面を開放したケース１１１と、該ケース１１１の開放部１１１ａに向けて装着した紫外線ランプ１１２と、該紫外線ランプ１１２の背後に装着した粘着捕虫シート１１３と、紫外線ランプ１１２の下部に装着された底部に超音波振動子１１７を装着した容器１１６と、該容器１１６に入れられた炭酸ガス発生ビーズ１１５とからなり、紫外線ランプ１１２からケース１１１の開放部１１１ａに向けて紫外線が発生され、炭酸ガス発生ビーズ１１５に定期的に超音波振動子１１７から超音波が照射され、紫外線ランプ１１２からの紫外線及び周囲の光で二酸化炭素を発生して、飛翔する昆虫を誘引し、粘着捕虫シート１１３で捕獲するようになっている。
【先行技術文献】
【特許文献】
【０００４】
【特許文献１】特開２００３−１９９４７１号公報
【特許文献２】特開２００８−３０６９５３号公報
【発明の概要】
【発明が解決しようとする課題】
【０００５】
ところが、特許文献１記載の捕虫器は、紫外線発光源１０１が捕虫フィルム１０３に被覆されているので、捕虫フィルム１０３を通過するときに紫外線が減衰し、虫の誘引効果が低減するという課題がある。
【０００６】
これに対し、特許文献２記載の捕虫装置は、前面を開放したケース１１１の開放部１１１ａに向けて紫外線ランプ１１２が装着されており、該紫外線ランプ１１２の背後に粘着捕虫シート１１３が装着されているので、特許文献１記載の捕虫器とは異なり、紫外線が減衰するという課題はない。しかし、平面状に形成された粘着捕虫シート１１３の粘着面の前方に装着された紫外線ランプ１１２により、該粘着面前方の虫を誘引し捕獲するようになるため、虫の誘引・捕獲可能な範囲が狭いという課題がある。
【課題を解決するための手段】
【０００７】
上記課題を解決するために、本発明の捕虫器は、
任意に設定された軸を中心とする略全周の表面に粘着層が形成された粘着部材と、該軸の周方向へ略等間隔をおいて、該粘着部材の周囲に列設された複数の光源とを備え、
虫を、前記光源からの光により誘引するとともに前記粘着部材により捕獲するように構成している。
【０００８】
この構成によれば、前記粘着部材の周囲に前記光源が列設されることにより、該光源からの光が直接外部に放射されるようになっているので、光を減衰させることなく有効利用することができる。また、前記軸の周方向へ略等間隔をおいて、前記粘着部材の周囲に複数の光源が列設されるているので、前記軸を中心とする略全周を、虫の誘引・捕獲可能な範囲とすることができる。
【０００９】
前記光源としては、捕獲対象の虫に応じて適宜設定することが好ましいが、波長が３８０ｎｍ以下の光を発するものとすることを例示する。前記光源としては、発光ダイオード（以下、「ＬＥＤ」という。）を用いることを例示する。
【００１０】
前記捕虫器としては、
前記粘着部材は、前記軸を中心とする略筒状に形成されてなる態様を例示する。
前記略筒状とは、円筒状や、角筒状（三角筒状、四角筒状、多角筒状等）をいう。
【００１１】
前記捕虫器としては、
前記粘着部材及び前記光源の上部又は／及び下部には、前記光源からの光を拡散させるための反射部が設けられた態様を例示する。
【００１２】
この構成によれば、前記光源からの光を拡散させることにより、広範囲の虫を誘引・捕獲することができる。
【００１３】
前記捕虫器としては、
前記粘着部材の近傍に、虫を誘引する誘引剤の格納部が設けられた態様を例示する。
【００１４】
この構成によれば、誘引剤から放出される成分により虫の誘引作用を増大させることができる。
【００１５】
前記捕虫器としては、
前記誘引剤の成分を前記格納部の外部に対して放出するための放出口は、虫の侵入を防止するための網で覆われた態様を例示する。
【００１６】
この構成によれば、前記成分に誘引された虫が格納部の中に侵入することを防止することができる。これにより、格納部内で虫が繁殖することを防止することができる。
【発明の効果】
【００１７】
本発明に係る捕虫器によれば、虫を誘引するための光を減衰させることなく有効利用するとともに、広範囲に渡って虫を誘引・捕獲することができるという優れた効果を奏する。
【図面の簡単な説明】
【００１８】
【図１】本発明を具体化した一実施形態に係る捕虫器を下方から見た斜視図である。
【図２】同捕虫器の縦断面図である。
【図３】図２のＩＩＩ−ＩＩＩ線断面図である。
【図４】図２のＩＶ−ＩＶ線断面図である。
【図５】粘着部材のシートの使用方法を示す斜視図である。
【図６】従来の捕虫器の断面図である。
【図７】従来の別の捕虫器の断面図である。
【発明を実施するための形態】
【００１９】
図１〜図５は本発明を具体化した一実施形態の捕虫器１を示している。本例の捕虫器１は、図１〜図４に示すように、椎茸栽培の害虫を捕獲するためのものであり、虫を誘引するための光を発する複数の光源３と、虫を誘引する成分を発する誘引剤４と、これらに誘引された虫を捕獲するための粘着部材５とが枠体２に装備されている。
【００２０】
枠体２は、上下に延びる軸７を中心とする略傘状に形成された上側傘部１１及び下側傘部１２と、両傘部１１，１２の間を連接する連接部１３とを備えている。
【００２１】
上側傘部１１は、その上側に、捕虫器１を天井などから吊り下げるための吊り下げ部材１５が取り付けられている。また、上側傘部１１の下側には、底蓋１６が取り付けられている。これにより上側傘部１１の内部に空間が形成されており、該空間には、光源３の駆動回路１７及び電源１８が装備されている。底蓋１６の下面には、３個の光源３と、駆動回路１７の電源スイッチ１９と、粘着部材５を係止するための係止具２０とが配設されている。
【００２２】
連接部１３は、本例では、上下に延びる３本のフレームからなり、軸７の周方向へ略等間隔をおいて、軸７の周囲に列設されている。
【００２３】
粘着部材５は、連接部１３に巻き付けられることにより、上下方向に延びる軸７を中心とする略筒状に形成されたシート２１を備えており、該シート２１の全周の表面には粘着層２１ａが形成されている。シート２１は、その両端に設けられた被係止穴２１ｂが係止具２０に係止されることにより、枠体２に着脱可能に装着されている。本例のシート２１は、可撓性を有する樹脂からなっており、図５に示すように、枠体２に装着される前の状態が、粘着層２１ａ同士が重なるように二つ折りにされた状態となっている。これを、同図に二点鎖線で示すように展開し、枠体２に装着するようになっている。また、本例のシート２１は透明に形成されており、粘着部材５の背後に配設された光源３の光が粘着部材５を通過可能なので、少数の光源３でも粘着部材５全体が明るく照らされるようになっている。
【００２４】
光源３として、本例では、波長が３８０ｎｍ以下の光を発するＬＥＤを採用している。この波長は、椎茸栽培における公知の各種害虫の誘引に効果的であることを本願出願人は確認している。本例では、上側傘部１１の底蓋に、３個の光源３が、軸７の周方向へ略等間隔をおいて、該粘着部材５の周囲に列設されている。また、光源３が配設された底蓋１６の底面と、該光源３に対峙する下側傘部１２の上面は、光源３からの光を拡散させる反射部となっており、ミラー状に形成されている。
【００２５】
下側傘部１２は、その下側に（粘着部材５の近傍に）、誘引剤４を格納するための格納部２５が設けられている。下側傘部１２の中央には、誘引剤４から放出される成分の外部への放出口１２ａが設けられており、該放出口１２ａは、虫の侵入を防止するための網２６で覆われている。格納部２５は、下側傘部１２に取り付けられた上部２５ａに対し、スクリューキャップ状に形成された下部２５ｂが取り外し可能になっており、これにより誘引剤４が交換可能になっている。
【００２６】
以上のように構成された本例の捕虫器１によれば、粘着部材５の周囲に光源３が列設されることにより、該光源３からの光が直接外部に放射されるようになっているので、光を減衰させることなく有効利用することができる。また、軸７の周方向へ略等間隔をおいて、粘着部材５の周囲に複数の光源３が列設されるているので、軸７を中心とする略全周を、虫の誘引・捕獲可能な範囲とすることができる。
【００２７】
また、前記反射部が設けられているので、光源３からの光を拡散させることにより、広範囲の虫を誘引・捕獲することができる。
【００２８】
また、光源３に加え、誘引剤４の格納部２５が設けられているので、誘引剤４から放出される成分により虫の誘引作用を増大させることができる。
【００２９】
また、誘引剤４の成分を格納部２５の外部に対して放出するための放出口１２ａは、虫の侵入を防止するための網２６で覆われているので、前記成分に誘引された虫が格納部２５の中に侵入することを防止することができる。これにより、格納部２５の中で虫が繁殖することを防止することができる。
【００３０】
なお、本発明は前記実施形態に限定されるものではなく、例えば以下のように、発明の趣旨から逸脱しない範囲で適宜変更して具体化することもできる。
（１）光源３の数を増減したり、光源３の配設箇所を変更したりすること。
（２）光源３として、ＬＥＤ以外のもの（例えば、電球、蛍光灯等）を用いること。
（３）粘着部材５のシートとして、粘着層側の面が光反射性を有するものや、粘着層側の面が蛍光性を有するものを用いること。
（４）粘着部材５の形状として、筒状以外の形状を採用すること。
（５）軸７を上下以外の方向（例えば水平方向）に設定すること。
【符号の説明】
【００３１】
１    捕虫器
２    枠体
３    光源
４    誘引剤
５    粘着部材
７    軸
１１    上側傘部
１２    下側傘部
１２ａ  放出口
１３    連接部
１５    吊り下げ部材
１６    底蓋
１７    駆動回路
１８    電源
１９    電源スイッチ
２０    係止具
２１    シート
２１ａ  粘着層
２１ｂ  被係止穴
２５    格納部
２５ａ  上部
２５ｂ  下部
２６    網
【図１】
2010279254.tif 000003
【図２】
2010279254.tif 000004
【図３】
2010279254.tif 000005
【図４】
2010279254.tif 000006
【図５】
2010279254.tif 000007
【図６】
2010279254.tif 000008
【図７】
2010279254.tif 000009